(57)【要約】【課題】映像信号と音声信号を個別にチェックする必要がなく、パイロットカラーバーにスーパー信号等が重畳されているか否かに関わらず、映像信号レベルと音声信号レベルが正規レベルであるか否かをチェックできるレベルチェッカーを提供する。【解決手段】分離されたパイロットカラーバー映像信号を輝度信号と色差信号とに分離する映像信号変換部１１と、輝度信号と色差信号のピークレベルと、音声信号のレベルとを検出するレベル検出部１８と、検出された輝度信号と色差信号とのピークレベル、及び音声信号のレベルが正規レベルか否かを同時に判定するレベル判定部３３とを備えるレベルチェッカー。レベル検出部１８で検出された輝度信号のピークレベルが正規レベルか否かの判定結果が、ホワイトエリアと異なるエリアのものである場合には、ホワイトエリアがスーパー信号等によるものであるとみなしてレベル判定部３３の判定結果を削除する。【選択図】  図１
2004343477.tif 000002
【特許請求の範囲】
【請求項１】
パイロットカラーバー信号を映像信号と音声信号とに分離する信号入力部と、
分離された映像信号を輝度信号と色差信号とに分離する映像信号変換部と、
前記輝度信号と色差信号のピークレベルと、前記音声信号のレベルとを検出するレベル検出部と、
検出された輝度信号と色差信号とのピークレベル、及び音声信号のレベルが正規レベルか否かを同時に判定するレベル判定部とを備えることを特徴とする映像音声信号レベルチェッカー。
【請求項２】
前記レベル判定部は、
入力されるパイロットカラーバーの種類を設定するカラーバー設定部と、
該カラーバー設定部で設定されたカラーバーの種類に応じてホワイトエリアを選定する判定エリア選択回路とを備え、
該レベル判定部は、前記判定エリア選択回路からのホワイトエリアに関する情報を受け、前記レベル検出部で検出された輝度信号のピークレベルが正規レベルか否かの判定結果が、該ホワイトエリアと異なるエリアのものである場合には、該ホワイトエリアがスーパー信号等によるものであるとみなして、該レベル判定部の判定結果を削除することを特徴とする請求項１記載の映像音声信号レベルチェッカー。
【請求項３】
前記検出した輝度信号、色差信号、音声信号の少なくとも一つの信号のレベルを表示するレベル表示部を備えることを特徴とする請求項１または２記載の映像音声信号レベルチェッカー。
【発明の詳細な説明】
【０００１】
【発明の属する技術分野】
本発明は、映像音声信号レベルチェッカーに関し、特に、ＶＴＲやテープ等の素材を番組として送出する前に、映像信号と音声信号のレベルチェックを行うためのレベルチェッカーに関する。
【０００２】
【従来の技術】
番組送出システムでは、ＶＴＲやテープ等の素材に納められた内容を番組として送出する際、番組の送出に先立って、映像信号や音声信号のレベルをレベルチェッカーによりチェックしている。従来の番組送出システムは、例えば、図２に示すように構成され、映像音声多重信号を映像音声分離回路５１で映像信号と音声信号とに分離し、各々個別のレベルチェッカー５２Ａ、５２Ｂで各々の信号のレベルをチェックし、いずれかの信号のレベルに異常があると、アラーム監視装置５３に異常を通知して警報等を発する。
【０００３】
ＶＴＲ等の頭出し部分のテープ収録の構成は、図３に示すような形式となっている。すなわち、実際に送出する本編枠の素材の前に、その素材の映像信号と音声信号のレベルをチェックすることができるように、チェックパターンとしてパイロットカラーバーと、基準の音声信号とを挿入している。このＶＴＲ等のパイロットカラーバーは、例えば、図４や図５に示すようなカラーバーである。
【０００４】
また、この従来の映像信号レベルチェッカーでは、図４に示すフルフィールドカラーバーや、図５に示すＳＭＰＴＥカラーバー等のフィールド画像有効期間を面積的にスキャンし、ピークホワイトのレベルを検出する。ここで、面積の大きさとなる水平方向と垂直方向の幅は、レベルチェックするカラーバーのホワイト面積を考慮して予め設定しておく。そして、上述の検出したピークホワイトレベルが許容範囲内であれば、良好と判定する。
【０００５】
また、検出したピークホワイトレベルが異常であっても、設定した面積の大きさ以下であれば、そのホワイトレベルは、ノイズやパイロットカラーバーに挿入されているスーパー信号であると判断してキャンセルする。一方、上述のように設定したホワイト面積より大きく、ピークホワイトレベルが外れていれば異常と判定し、図２のアラーム監視装置５３等へ通知する（例えば、特許文献１参照）。
【０００６】
さらに、図２の音声信号レベルチェッカーでは、パイロットカラーバーに多重されている音声基準信号が、音声基準レベル、基準周波数等から許容範囲内であるか否かのチェックを行い、異常であれば、図２のアラーム監視装置５３等へ通知する。
【０００７】
【特許文献１】
特開２００２−３７４５４４号公報
【０００８】
【発明が解決しようとする課題】
しかし、上述に示すようなレベルチェックの方法では、次のような問題があった。
【０００９】
図２に示すように、映像信号と音声信号とを個別にレベルチェックしているため、映像信号と音声信号の各々のレベルチェッカーから個々にアラームを発生させ、運用者が各々をチェックしなければならず、煩雑であり、作業性が悪いという問題があった。
【００１０】
また、ＶＴＲやテープ等のテープに収録されているパイロットカラーバーには、図６に示すように、本編の素材を判別するための局名のロゴや、素材番号等をスーパー素材にして重畳している場合がある。この場合のスーパー素材は、ＶＴＲに収録している本編枠の映像信号のレベルとは関係なく制作され、パイロットカラーバー部分に重畳されている。そのため、上述の映像信号レベルチェッカーでスーパー信号部分のピークホワイトのレベルを検出し、かつ、スーパー信号のホワイト部分の面積が設定条件を満たしてしまった場合には、その箇所をピークホワイトレベルとして検出することとなる。
【００１１】
そして、検出したピークホワイトレベルが、許容範囲を外れることがある。このとき、本来のパイロットカラーバーのピークホワイトレベルが許容範囲内にあっても、スーパー信号部分のピークホワイトレベルが許容範囲から外れていると、パイロットカラーバーのピークホワイトレベルと同じピークホワイトレベルにある本編枠の映像信号レベルとは関係なく、レベル異常としてしまうという問題がある。
【００１２】
そこで、本発明は、上記従来の映像音声信号レベルチェッカーにおける問題点に鑑みてなされたものであって、映像信号と音声信号を個別にチェックする必要がなく、作業性の良い映像音声信号レベルチェッカーを提供することを目的とする。
【００１３】
また、本発明は、上記に加え、パイロットカラーバーにスーパー信号等が重畳されているか否か関わらず、ＶＴＲ等の素材を番組として送出することに先立って、映像信号レベルと音声信号レベルが正規レベルであるか否かをチェックすることのできる映像音声信号レベルチェッカーを提供することを目的とする。
【００１４】
【課題を解決するための手段】
上記目的を達成するため、本発明は、映像音声信号レベルチェッカーであって、パイロットカラーバー信号を映像信号と音声信号とに分離する信号入力部と、分離された映像信号を輝度信号と色差信号とに分離する映像信号変換部と、前記輝度信号と色差信号のピークレベルと、前記音声信号のレベルとを検出するレベル検出部と、検出された輝度信号と色差信号とのピークレベル、及び音声信号のレベルが正規レベルか否かを同時に判定するレベル判定部とを備えることを特徴とする。
【００１５】
そして、本発明によれば、レベル判定部に音声信号の判定部を有し、映像と音声のレベルを同時に判定することができるため、運用者が映像信号と音声信号について個別にチェックする負担を軽減することができ、作業性の良い像音声信号レベルチェッカーを提供することができる。
【００１６】
上記映像音声信号レベルチェッカーにおいて、前記レベル判定部は、入力されるパイロットカラーバーの種類を設定するカラーバー設定部と、該カラーバー設定部で設定されたカラーバーの種類に応じてホワイトエリアを選定する判定エリア選択回路とを備え、該レベル判定部は、前記判定エリア選択回路からのホワイトエリアに関する情報を受け、前記レベル検出部で検出された輝度信号のピークレベルが正規レベルか否かの判定結果が、該ホワイトエリアと異なるエリアのものである場合には、該ホワイトエリアがスーパー信号等によるものであるとみなして、該レベル判定部の判定結果を削除することができる。
【００１７】
これによって、映像音声信号にスーパー信号等が重畳されてされているような場合であっても、スーパー信号等によるホワイトエリアの判定結果をレベル判定部の判定結果から削除することができるため、スーパー信号等が重畳された場合に、本編枠の映像信号レベルとは関係なくレベル異常と判定されてしまうという問題を解消することができ、正確なレベル判定を行うことができる。
【００１８】
また、上記映像音声信号レベルチェッカーは、前記検出した輝度信号、色差信号、音声信号の少なくとも一つの信号のレベルを表示するレベル表示部を備えるように構成することができる。
【００１９】
【発明の実施の形態】
次に、本発明の実施の形態について図面を参照しながら説明する。
【００２０】
図１は、本発明にかかる映像音声信号レベルチェッカー（以下、「レベルチェッカー」と略称する）の一実施の形態を示すブロック図であって、以下の説明においては、このレベルチェッカーを用い、ＶＴＲ等の素材信号が映像音声多重信号であり、映像信号がコンポーネントシリアルデジタル映像信号である映像音声信号のレベルチェックを行う場合を例にとって説明する。
【００２１】
このレベルチェッカーは、大別して、信号入力部３と、映像信号入力部６と、映像信号変換部１１と、音声信号入力部８と、レベル検出部１８と、レベル判定部３３と、レベル表示部４７とで構成される。
【００２２】
信号入力部３は、映像音声分離回路２を備え、映像音声信号分離回路２は、入力されたパイロットカラーバー信号１を映像信号と音声信号に分離する。
【００２３】
映像信号入力部６は、映像信号イコライザ回路４と、映像信号同期回路５とを有し、映像信号イコライザ回路４と、映像信号同期回路５は、映像音声信号分離回路２から入力された映像信号の波形を整形する。
【００２４】
映像信号変換部１１は、シリアル／パラレル変換回路９と、Ｙ／Ｃ分離回路１０とを備え、シリアル／パラレル変換回路９は、映像信号入力部６から入力された映像信号をパラレルデジタル映像信号へ変換し、Ｙ／Ｃ分離回路１０は、映像信号を輝度信号と色差信号に分離する。
【００２５】
音声信号入力部８は、音声イコライザ回路７を備え、音声イコライザ回路７は、映像音声信号分離回路２から入力された音声信号の波形を整形する。
【００２６】
レベル検出部１８は、輝度信号検出回路１２と、色差信号検出回路１３と、音声信号レベル検出回路１４と、音声信号周波数検出回路１５と、音声信号位相差検出回路１６とを備える。
【００２７】
輝度信号検出回路１２は、Ｙ／Ｃ分離回路１０から入力された映像信号のフィールド画像有効期間をスキャンし、１ライン毎にホワイトレベルでの輝度信号のピークレベルとライン幅（〜数μＳ）とを検出する。色差信号検出回路１３は、上述の輝度信号のピークレベルを検出したライン幅の中で色差信号レベルの最大値を検出する。音声信号レベル検出回路１４は、上述の映像信号のフィールド画像有効期間をスキャンしている期間中について、音声信号レベルの検出を行う。音声信号周波数検出回路１５は、上述の映像信号のフィールド画像有効期間をスキャンしている期間中について、音声信号周波数の検出を行う。音声信号位相差検出回路１６は、上述の映像信号のフィールド画像有効期間をスキャンしている期間中について、音声信号位相差の検出を行う。
【００２８】
検出回路スタート信号発生器１７は、外部より供給された測定開始信号４８によって、輝度信号検出回路１２と、色差信号検出回路１３と、音声信号レベル検出回路１４と、音声信号周波数検出回路１５と、音声信号位相差回路１６とをスタートさせる。
【００２９】
レベル判定部３３は、輝度レベル判定回路１９、色差レベル判定回路２３、映像レベル判定出力回路２５、音声信号レベル判定回路２６、音声信号周波数判定回路２８、音声信号位相差判定回路３０等を備える。
【００３０】
輝度レベル判定回路１９は、１ライン中の水平方向のホワイトレベル幅と、フィールド有効画像期間内の垂直方向のホワイトレベル幅とを設定するホワイトレベル面積設定部２０と、測定するホワイトレベルの上限と下限の輝度信号レベルを設定するホワイトレベル上限下限設定部２１を有する。
【００３１】
色差レベル判定回路２３は、測定するホワイトレベルの色差レベルの上限と下限を設定する色差レベル上限下限設定部２４を有する。
【００３２】
映像レベル判定出力回路２５は、カラーバー設定部３４と、判定エリア選択回路３２を有している。カラーバー設定部３４では、パイロットカラーバー信号１が、例えば、図４のフルフィールドカラーバーであるか、図５のＳＭＰＴＥカラーバーであるか等の設定を行う。
【００３３】
音声信号レベル判定回路２６は、測定する音声信号の基準レベルからの上限と下限とを設定する音声信号上限下限設定部２７を有する。音声信号周波数判定回路２８は、測定する音声信号の基準周波数（１ＫＨｚ）からの上限と下限を設定する音声周波数上限下限設定部２９を有する。音声信号位相差判定回路３０は、測定する音声信号のチャンネル間位相差の上限と下限とを設定する音声位相差上限下限設定部３１を有する。
【００３４】
レベル表示部４７は、輝度レベル表示部３７、色差レベル表示部３９、音声レベル表示部４１、音声周波数表示部４３、音声位相差表示部４５等を備え、例えば、レベル検出部１８の輝度信号検出回路１２から供給される輝度信号のピークレベルの最大値を、輝度レベル表示部３７を介してＬＥＤ等の表示器３８を制御して表示する。
【００３５】
次に、上記構成を有するレベルチェッカーの動作について説明する。
【００３６】
ＶＴＲ等の冒頭にある収緑してあるパイロットカラーバー信号１が再生され、信号入力部３へ入力される。パイロットカラーバー信号１は、映像音声多重信号であるため、信号入力部３の映像音声分離回路２にて、映像信号と音声信号に分離される。
【００３７】
パイロットカラーバー信号１から分離された映像信号は、映像信号入力部６の映像信号イコライザ回路４と、映像信号同期回路５とで波形整形され、映像信号変換部１１へ供給される。
【００３８】
次に、映像信号変換部１１のシリアル／パラレル変換回路９で、シリアルデジタル映像信号をパラレルデジタル映像信号へ変換する。ここで、パイロットカラーバー信号１の映像信号は、コンポーネント信号であるため、輝度データ（Ｙ）と色差データ（Ｃ）を分離して伝送している。従って、各々のデータを個別に抽出して処理できるため、パラレルデジタル映像信号に変換されたパイロットカラーバー信号１の映像信号は、Ｙ／Ｃ分離回路１０へ供給され、輝度信号と色差信号に分離され、レベル検出部１８へ供給される。
【００３９】
一方、パイロットカラーバー信号１から分離された音声信号は、音声信号入力部８の音声信号イコライザ回路７で波形整形され、レベル検出部１８へ供給される。
【００４０】
レベル検出部１８では、上述のＹ／Ｃ分離回路１０から供給される輝度信号が輝度信号検出回路１２へ入力される。輝度信号検出回路１２では、パイロットカラーバー信号１の映像音声多重信号から分離した映像信号のフィールド画像有効期間をスキャンし、１ライン毎にホワイトレベルでの輝度信号のピークレベルとライン幅（〜数μＳ）とを検出する。この輝度信号レベルとライン幅は、レベル判定部３３とレベル表示部４７へ供給される。
【００４１】
Ｙ／Ｃ分離回路１０から供給される色差信号は、色差信号検出回路１３へ入力される。色差信号検出回路１３では、上述の輝度信号のピークレベルを検出したライン幅の中で、色差信号レベルの最大値を検出する。上述の色差信号レベルの最大値は、レベル判定部３３とレベル表示部４７へ供給される。
【００４２】
一方、上述の音声信号イコライザ回路７から供給される音声信号は、音声信号レベル検出回路１４と、音声信号周波数検出回路１５と、音声信号位相差検出回路１６とへ入力される。
【００４３】
音声信号レベル検出回路１４では、上述の映像信号のフィールド画像有効期間をスキャンしている期間中について、音声信号レベルの検出を行い、検出した音声信号レベルをレベル判定部３３とレベル表示部４７とへ供給する。音声信号周波数検出回路１５では、上述の映像信号のフィールド画像有効期間をスキャンしている期間中について、音声信号周波数の検出を行い、検出した音声信号周波数をレベル判定部３３とレベル表示部４７へ供給する。音声信号位相差検出回路１６では、上述の映像信号のフィールド画像有効期間をスキャンしている期間中について、音声信号位相差の検出を行い、検出した音声信号位相差をレベル判定部３３とレベル表示部４７へ供給する。
【００４４】
また、輝度信号検出回路１２と、色差信号検出回路１３と、音声信号レベル検出回路１４と、音声信号周波数検出回路１５と、音声信号位相差回路１６とが検出を開始するタイミングは、パイロットカラーバー信号１がレベルチェッカーに入力するタイミングに合わせるように制御する必要があるため、ＶＴＲ等の起動のタイミングに合わせた測定開始信号４８を外部より供給し、検出回路スタート信号発生器１７に入力し、上述の輝度信号検出回路１２と、色差信号検出回路１３と、音声信号レベル検出回路１４と、音声信号周波数検出回路１５と、音声信号位相差回路１６とをスタートさせる。
【００４５】
レベル判定部３３では、上述の輝度信号のピークレベルとライン幅を輝度レベル判定回路１９へ入力する。レベル検出部１８より供給された輝度信号のピークレベルは、ホワイトレベル面積設定部２０の設定値になるまでピークレベルラインメモリ２２に一旦保存され、設定値の面積以上になったときに、輝度信号のピークレベルについて、ホワイトレベル上限下限設定部２１にて設定した輝度信号のレベルを満たしているか否かを判定し、判定結果を輝度レベル判定回路１９へ供給する。ここで、検出結果が設定面積以下の場合には、スーパー信号等のホワイトレベルと判定して判定結果をキャンセルする。
【００４６】
上述のピークレベルラインメモリ２２に輝度信号のピークレベルが保存されている期間について、供給された色差信号の最大値が上述の色差レベル上限下限設定部２４で設定された設定値以下であるか否かを判定し、判定結果を映像レベル判定出力回路２５へ供給する。
【００４７】
判定エリア選択回路３２では、上述のカラーバー設定部３４にて選択されたカラーバーの種類から、予めホワイトエリアを選定し、その情報を映像レベル判定出力回路２５へ供給する。映像レベル判定出力回路２５に輝度レベル判定回路１９から供給された判定結果について、上述のエリア情報によりエリア判定を行い、輝度レベル判定回路１９から供給された判定結果がカラーバー設定部３４の情報と異なるエリアにある場合には、スーパー信号等であるとみなして、キャンセルする。このとき、色差レベル判定回路２３の判定結果についてもキャンセルする。また、通常のパイロットカラーバー信号の時に、各々のレベルに異常があれば外部へ通知する。
【００４８】
音声信号レベル検出回路１４から供給される音声レベルが、音声信号上限下限設定部２７にて設定された設定値の範囲内にあるか否かを判定し、異常があれば外部へ通知する。音声信号周波数検出回路１５から供給される音声周波数情報が、音声信号周波数上限下限設定部２９にて設定された設定値の範囲内にあるか否かを判定し、異常があれば外部へ通知する。音声信号位相差検出回路１６から供給される音声位相差情報が、音声信号位相差上限下限設定部３１にて設定された設定値の範囲内にあるか否かを判定し、異常があれば外部へ通知する。
【００４９】
レベル表示部４７では、上述の輝度信号検出回路１２から供給される輝度信号のピークレベルを輝度レベル表示部３７へ入力し、例えば、ＬＥＤ等の表示器３８を制御し、輝度信号のピークレベルの最大値を表示する。色差信号検出回路１３から供給される色差信号レベル最大値が色差レベル表示部３９へ入力され、例えば、ＬＥＤ等の表示器４０を制御し、色差信号レベルの最大値を表示する。音声信号レベル検出回路１４から供給される音声信号のレベルが音声レベル表示部４１へ入力され、例えば、ＬＥＤ等の表示器４２を制御し、音声信号レベルを表示する。音声周波数検出回路１５から供給される音声信号の周波数が音声周波数表示部４３へ入力され、例えば、ＬＥＤ等の表示器４４を制御し、音声信号周波数を表示する。音声位相差検出回路１６から供給される音声信号のチャンネル間位相差が、音声位相差表示部４５へ入力され、例えば、ＬＥＤ等の表示器４６を制御し、音声信号周波数を表示する。
【００５０】
次に、図１に示したレベルチェッカーに、図６に示したパイロットカラーバーが入力された場合の映像音声信号レベルチェッカーの動作について、図１を中心に参照しながら説明する。
【００５１】
ＶＴＲの冒頭に本編の素材を判別するための局名のロゴや素材番号等をスーパー素材として重畳したパイロットカラーバー信号１を信号入力部３へ入力する。
【００５２】
入力されたパイロットカラーバー信号１は、映像音声信号分離回路２で映像信号と音声信号に分離される。映像信号は、映像信号入力部６へ入力され、波形整形されて映像信号変換部１１へ入力される。映像信号変換部１１では、シリアル／パラレル変換回路９と、Ｙ／Ｃ分離回路１０とで、映像信号を輝度信号と色差信号に分離してレベル検出部１８へ入力する。
【００５３】
音声信号は、音声信号入力部８へ入力され、音声イコライザ回路７によって波形整形されてレベル検出部１８へ入力される。
【００５４】
レベル検出部１８では、スーパーを重畳しているパイロットカラーバー信号１のフィールド画像有効期間をスキャンし、１ライン毎に、ホワイトレベルでの輝度信号のピークレベルとライン幅を検出する。輝度信号検出回路１２は、通常、パイロットカラーバー中のホワイト部分を検出するが、今回のように、スーパーが重畳されている場合には、スーパー重畳している白文字等の部分の輝度レベルの方が大きいことがあり、このときには、スーパー部分の輝度レベルとライン幅とを検出することとなる。上述の輝度信号レベルとライン幅は、レベル判定部３３とレベル表示部４７へ供給される。
【００５５】
また、上述の映像信号変換部１１のＹ／Ｃ分離回路１０から供給される色差信号は、色差信号検出回路１３へ入力される。色差信号検出回路１３では、上述の輝度信号のピークレベルを検出したライン幅の中で、色差信号レベルの最大値を検出する。上述のとおり、スーパー重畳されている部分の輝度レベルを検出している時には、その部分の色差信号を検出することになる。上述の色差信号レベルは、レベル判定部３３とレベル表示部４７へ供給される。
【００５６】
一方、上述の音声信号入力部８の音声イコライザ回路７から供給される音声信号は、音声信号レベル検出回路１４と、音声信号周波数検出回路１５と、音声信号位相差検出回路１６とへ入力される。
【００５７】
音声信号レベル検出回路１４では、上述の映像信号のフィールド画像有効期間をスキャンしている期間中について、音声信号レベルの検出を行い、レベル判定部３３とレベル表示部４７とへ供給する。音声信号周波数検出回路１５では、上述の映像信号のフィールド画像有効期間をスキャンしている期間中について、音声信号周波数の検出を行い、レベル判定部３３とレベル表示部４７へ供給する。音声信号位相差検出回路１６では、上述の映像信号のフィールド画像有効期間をスキャンしている期間中について、音声信号位相差の検出を行い、レベル判定部３３とレベル表示部４７とへ供給する。
【００５８】
また、輝度信号検出回路１２と、色差信号検出回路１３と、音声信号レベル検出回路１４と、音声信号周波数検出回路１５と、音声信号位相差回路１６とが検出を開始するタイミングは、ＶＴＲのパイロットカラーバー部分に合わせて検出しなければいけないため、パイロットカラーバー信号１がレベルチェッカーに入力するタイミングに合わせるように制御する必要がある。このため、ＶＴＲ等の起動のタイミングに合わせた測定開始信号４８を外部より供給し、検出回路スタート信号発生器１７に入力し、上述の検出回路をスタートさせる。
【００５９】
レベル判定部３３では、上述の輝度信号のピークレベルと、その時のライン幅を輝度レベル判定回路１９へ入力する。輝度レベル判定回路１９では、レベル検出部１８から供給された輝度信号のピークレベルが設定された面積より大きいか否かで判定する。通常、パイロットカラーバーに重畳しているスーパーの白文字等は、通常のカラーバーのホワイト面積より小さいため、ホワイトレベル面積設定部２０の設定値より小さくなり、判定回路からキャンセルされるため、輝度信号のピークレベルが異常値にあってもレベル異常と判定することはない。また同時に、色差信号判定回路２３では、上述の面積部分が無色であることの判定を行う。
【００６０】
さらに、映像レベル判定出力回路２５に有する判定エリア選択回路３２によって、パイロットカラーバー信号１が、例えば、図４のフルフィールドカラーバーか図５のＳＭＰＴＥカラーバーであるという設定をレベルチェックを行う前に行っておくことにより、有効画像期間の中で、どのエリアにホワイト部分が存在するかを限定し、上述の判定結果の精度を向上させることができる。これにより、パイロットカラーバーに重畳されているスーパー信号等が、上述の面積判定をクリアしてしまっても、判定エリア選択回路３２によってキャンセルされるため、輝度信号のピークレベルが異常値にあってもレベル異常と判定することはない。従って、通常のパイロットカラーバー信号の時に、各々のレベルに異常があれば外部へ通知することになる。
【００６１】
音声信号は、音声信号レベル判定回路２６と、音声信号周波数判定回路２８と、音声信号位相差判定回路３０の各々の判定回路にて判定され、異常があれば外部へ通知される。
【００６２】
レベル表示部４７では、上述の映像や音声の検出回路から供給される信号情報を表示部へ入力し、例えば、７セグＬＥＤ等の表示器を制御して数値表示する。
【００６３】
【発明の効果】
以上説明したように、本発明によれば、映像信号と音声信号を個別にチェックする必要がなくて作業性が良く、パイロットカラーバーにスーパー信号等が重畳されているか否かに関わらず、ＶＴＲ等の素材を番組として送出することに先立って、映像信号レベルと音声信号レベルが正規レベルであるか否かをチェックすることのできるレベルチェッカーを提供することができる。
【図面の簡単な説明】
【図１】本発明にかかるレベルチェッカーの一実施の形態を示すブロック図である。
【図２】従来のＶＴＲ等のレベルをチェックするシステムの系統図である。
【図３】従来のＶＴＲ等のテープ収録の構成を示す図である。
【図４】従来のＶＴＲ等のパイロットカラーバーの一例として、フルフィールドカラーバーを示す図である。
【図５】従来のＶＴＲ等のパイロットカラーバーの一例として、ＳＭＰＴＥカラーバーを示す図である。
【図６】従来のＶＴＲ等のパイロットカラーバーであって、ロゴや素材番号をスーパー重畳したカラーバーの一例を示す図である。
【符号の説明】
１            パイロットカラーバー信号
２            映像音声信号分離回路
３            信号入力部
４            映像信号イコライザ回路
５            映像信号同期回路
６            映像信号入力部
７            音声イコライザ回路
８            音声信号入力部
９            シリアル／パラレル変換回路
１０        Ｙ／Ｃ分離回路
１１        映像信号変換部
１２        輝度信号検出回路
１３        色差信号検出回路
１４        音声信号レベル検出回路
１５        音声信号周波数検出回路
１６        音声信号位相差検出回路
１７        検出回路スタート信号発生器
１８        レベル検出部
１９        輝度レベル判定回路
２０        ホワイトレベル面積設定部
２１        ホワイトレベル上限下限設定部
２２        ピークレベルラインメモリ
２３        色差レベル判定回路
２４        色差レベル上限下限設定部
２５        映像レベル判定出力回路
２６        音声信号レベル判定回路
２７        音声レベル上限下限設定部
２８        音声信号周波数判定回路
２９        音声周波数上限下限設定部
３０        音声信号位相差判定回路
３１        音声位相差上限下限設定部
３２        判定エリア選択回路
３３        レベル判定部
３４        カラーバー設定部
３５        映像判定出力
３６        音声判定出力
３７        輝度レベル表示部
３８        表示器
３９        色差レベル表示部
４０        表示器
４１        音声レベル表示部
４２        表示器
４３        音声周波数表示部
４４        表示器
４５        音声位相差表示部
４６        表示器
４７        レベル表示部
４８        測定開始信号
【図１】
2004343477.tif 000003
【図２】
2004343477.tif 000004
【図３】
2004343477.tif 000005
【図４】
2004343477.tif 000006
【図５】
2004343477.tif 000007
【図６】
2004343477.tif 000008